(57)【要約】【課題】万一、熱交換器より冷媒漏洩が起きた場合、庫内の容器に滞留した可燃性冷媒をユーザーが引き出し扉を開けることで容易に庫外へ排出させ、庫内の冷媒濃度を低下させ安全性を向上した冷蔵庫を提供することを目的とする。【解決手段】冷凍室１と、熱交換器２と、送風装置３と、引き出し扉４を備え、前記引き出し扉４に容器５ｂを有し、前記容器５ｂの底６ｂに穴７を設けたことにより、万一、熱交換器３より冷媒漏洩が起きた場合、空気より重たい可燃性冷媒が容器５ｂに滞留しても、容器５ｂの底６ｂの穴７から下へ抜け出て容器５ｂの下側８で滞留し、ユーザーが引き出し扉４を開けたとき庫外に容易に排出することができるため、庫内の冷媒濃度を低下させ安全性の向上となる。【選択図】図１
2005221143.tif 000002
【特許請求の範囲】
【請求項１】
庫内を上下に区画し、最下部の庫内に上部を開口した容器を備え、前記容器は前面に備えた引き出し扉とともに前方に引き出され、前記最下部の庫内の後部に熱交換器と送風装置を有し、冷凍サイクルに可燃性冷媒を用いた冷蔵庫において、前記容器の底部に穴を設けたことを特徴とする冷蔵庫。
【請求項２】
容器の下部後方にヒレを備えた請求項１に記載の冷蔵庫。
【請求項３】
容器底部は凹凸形状とし、穴を前記凹状部の下部側壁へ設けた請求項１または２に記載の冷蔵庫。
【請求項４】
容器の底部に設ける穴は、容器前方の引き出し扉側へ配置した請求項１から３のいずれか一項に記載の冷蔵庫。
【請求項５】
扉スイッチを備え、引き出し扉を開けたとき所定時間送風装置を作動する請求項１から４のいずれか一項に記載の冷蔵庫。
【発明の詳細な説明】
【技術分野】
【０００１】
本発明は可燃性冷媒を用いた冷蔵庫の安全性に関するものである。
【背景技術】
【０００２】
従来、冷蔵庫の貯蔵室に引出容器を備えたものがある。（例えば、特許文献１参照）
図６は、特許文献１に記載された従来の冷蔵庫を示すものである。図６に示すように、貯蔵室１の後方には熱交換器２と送風装置３を有し、引き出し扉４を備え、引き出し扉４とともに前方に引き出される容器５ａ有し、容器５ａの底部には底面６ａ有している。
【特許文献１】特開２０００−２２０９４３号公報
【発明の開示】
【発明が解決しようとする課題】
【０００３】
しかしながら、上記従来の構成では、冷凍サイクルに可燃性冷媒を用いた場合、万一、熱交換器２より冷媒漏洩が起きると、空気より重たい可燃性冷媒は送風装置３で冷凍室１を循環しながら容器５ａの底６ａへ滞留し、ユーザーが引き出し扉４をたとえ開けても庫外に排出できずそのまま容器５ａの底に残り、ユーザーが引き出し扉４を閉めれば、密閉した冷凍室１で漏洩した可燃性冷媒が容器５ａの底へさらに滞留し冷媒濃度が高まるという課題を有していた。
【０００４】
本発明は、上記従来の課題を解決するもので、万一、熱交換器より冷媒漏洩が起きた場合でも、庫内の容器に滞留した可燃性冷媒の漏洩冷媒をユーザーが引き出し扉を開けることで容易に庫外へ排出させ、庫内の冷媒濃度を低下させ安全性を向上した冷蔵庫を提供することを目的とする。
【課題を解決するための手段】
【０００５】
上記従来の課題を解決するために、本発明の冷蔵庫は、庫内を上下に区画し、最下部の庫内に上部を開口した容器を備え、前記容器は前面に備えた引き出し扉とともに前方に引き出され、前記最下部の庫内の後部に熱交換器と送風装置を有し、冷凍サイクルに可燃性冷媒を用いた冷蔵庫において、前記容器の底部に穴を設けたものである。
【０００６】
これによって、万一、熱交換器より冷媒漏洩が起きた場合、送風装置で庫内を循環し容器の中へ冷媒が入ってしまっても空気より重たい可燃性冷媒は容器の底の穴からへ出て容器の下側へ滞留し、ユーザーが引き出し扉を開けたとき庫外に容易に排出することができる。
【発明の効果】
【０００７】
本発明の冷蔵庫は、庫内の引き出し扉に有する容器の底へ穴を設けたことにより、庫内の冷媒濃度を低下させ安全性を向上させることができる。
【発明を実施するための最良の形態】
【０００８】
請求項１に記載の発明は、庫内を上下に区画し、最下部の庫内に上部を開口した容器を備え、前記容器は前面に備えた引き出し扉とともに前方に引き出され、前記最下部の庫内の後部に熱交換器と送風装置を有し、冷凍サイクルに可燃性冷媒を用いた冷蔵庫において、前記容器の底部に穴を設けたものであり、万一、熱交換器より冷媒漏洩が起きた場合、送風装置で庫内を循環し容器の中へ冷媒が入ってしまっても空気より重たい可燃性冷媒は容器の底の穴からへ出て容器の下側へ滞留し、ユーザーが引き出し扉を開けたとき庫外に容易に排出することができ、安全性を向上させることができる。
【０００９】
請求項２に記載の発明は、請求項１に記載の発明において、容器の下部後方にヒレを備えたものであり、ユーザーが引き出し扉を開けたとき、容器の下側へ滞留した冷媒はヒレによってかき出され、排出をより向上させることができる。
【００１０】
請求項３に記載の発明は、請求項１または２に記載の発明において、容器底部は凹凸形状とし、穴を前記凹状部の下部側壁へ設けたものであり、容器内部に食品を保存していても、穴が塞がらず、容器の底の冷媒が出易くなり排出をより向上させることができる。
【００１１】
請求項４に記載の発明は、請求項１から３のいずれか一項に記載の発明において、容器の底部に設ける穴は、容器前方の引き出し扉側へ配置したものであり、容器の下側へ滞留した冷媒は引き出し扉側へ近くなるため、ユーザーが引き出し扉を開けたとき早い時間で冷媒を庫外に排出することができる。
【００１２】
請求項５に記載の発明は、請求項１から４のいずれか一項に記載の発明において、扉スイッチを備え、引き出し扉を開けたとき所定時間送風装置を作動するものであり、庫内の空気を強制的に庫外へ排出するため容器の下へ滞留した冷媒を速やかに排出することができる。
【００１３】
以下、本発明の実施の形態について、図面を参照しながら説明する。なお、この実施の形態によってこの発明が限定されるものではない。
【００１４】
（実施の形態１）
図１、２、４，５は本発明の実施の形態１における冷蔵庫の貯蔵室の断面図、図３は本発明の実施の形態１における冷蔵庫の貯蔵室内の容器の底部拡大断面図である。
【００１５】
図１において、冷凍室１は上下に区画した区画壁１ａの下方で冷蔵庫の最下部に位置している冷凍室１の後部背面には熱交換器２と送風装置３を有し、庫内空気を循環させながら温度分布を均一にする。また、容器５ｂは引き出し扉４とともに前方に引出可能に設置され、容器５ｂの底面６ｂには複数の穴７を設けている。なお、本冷蔵庫の冷凍サイクルには可燃性冷媒であるイソブタンを封入している。
【００１６】
以上のように構成された冷蔵庫について、以下その動作、作用を説明する。
【００１７】
まず、冷蔵庫の運転中に万一、熱交換器２より冷媒漏洩が起きた場合、漏れた冷媒を含んだ庫内空気は送風装置３によって冷凍室１を循環し、やがて空気より重たい可燃性冷媒の一部は容器５ｂに入り底６ｂに滞留しはじめる。このとき容器５ｂの底６ｂに設けた穴７を滞留冷媒が通り抜け容器５ｂの下側８へ流れそこに滞留する。ユーザーが引き出し扉４を開けたとき容器５ｂの下側８へ滞留した冷媒は容易に庫外に排出されることになる。
【００１８】
以上のように本実施の形態においては、庫内の引き出し扉４に有する容器５ｂの底６ｂへ穴７を設けたことにより、万一、熱交換器２より冷媒漏洩が起きた場合、送風装置３で冷凍室１を循環し容器５ｂの中へ冷媒が入っても空気より重たい可燃性冷媒は容器５ｂの底６ｂの穴７から流れ出て容器５ｂの下側８へ滞留し、ユーザーが引き出し扉４を開けたときは庫外に容易に排出することができ、庫内の冷媒濃度を低下させ防爆の安全性を向上させることができる。
【００１９】
また、図２に示すように、本実施の形態の容器５ｂの下部後方にヒレ９を備え、ヒレ９は貯蔵室１の底６ｃと接するように配置してもよい。この場合、万一、冷媒漏洩が起きた場合、ユーザーが引き出し扉４を開けた時、ヒレ９は底６ｃと接触しながら滞留冷媒をかき出すため、庫外に容易に、かつ、確実に排出することができ、庫内の冷媒濃度をさらに低下させ防爆の安全性を向上させることができる。
【００２０】
また、図３に示すように、本実施の形態の容器５ｂの底部１０を前後方向に断面凹凸状とし、凹状部の下部側壁１１に穴７をそれぞれ設けてもよい。この場合、万一、冷媒漏洩が起きた場合、容器５ｂの中へ冷媒が入って、なおかつ食材１２が凹凸状の底１０にあっても穴７は塞がれず空気より重たい可燃性冷媒は流れ出て容器５ｂの下側８へ滞留し、ユーザーが引き出し扉４を開けたときは庫外に容易に排出することができ、庫内の冷媒濃度を低下させ防爆の安全性を向上させることができる。
【００２１】
また、図４に示すように、本実施の形態の容器５ｂの穴７の位置を前方の引き出し扉４側の前半分に集中して設けてもよい。この場合、万一、冷媒漏洩が起きた場合、ユーザーが引き出し扉４を開けたとき速やかに冷媒を庫外に排出することができるので冷媒濃度を速やかに低下させ防爆の安全性を向上させることができる。
【００２２】
また、図５に示すように、扉スイッチ１２を備え、引き出し扉４を開けたとき所定時間送風装置３を作動する制御手段を備えてもよい。この場合、万一、冷媒漏洩が起きた場合、ユーザーが引き出し扉４を開けたとき、扉スイッチ１２の検知で送風装置３が所定時間運転するため、冷凍室１の空気を強制的に庫外へ排出し、容器５ｂの下側８へ滞留した冷媒のみならずその他の部位に滞留した冷媒についても排出することができるので、庫内の冷媒濃度を速やかに低下させることができ、防爆の安全性を向上させることができる。
【産業上の利用可能性】
【００２３】
以上のように、本発明にかかる冷蔵庫は、庫内の容器に滞留した可燃性冷媒の漏洩冷媒をユーザーが引き出し扉を開けることで庫内の冷媒濃度を低下させることが可能となるので、可燃性冷媒を用い引出容器を備えた冷凍機器等の用途にも適用できる。
【図面の簡単な説明】
【００２４】
【図１】本発明の実施の形態１における冷蔵庫の断面図
【図２】本発明の実施の形態１における冷蔵庫の断面図
【図３】図１のＡ−Ａ線断面図
【図４】本発明の実施の形態1における冷蔵庫の断面図
【図５】本発明の実施の形態1における冷蔵庫の断面図
【図６】従来の冷蔵庫の断面図
【符号の説明】
【００２５】
１    庫内
２    熱交換器
３    送風装置
４    引き出し扉
５ｂ    容器
６ｂ    底
７    穴
９    ヒレ
１０    凹凸状の底
１１    下部側壁
１２    扉スイッチ
【図１】
2005221143.tif 000003
【図２】
2005221143.tif 000004
【図３】
2005221143.tif 000005
【図４】
2005221143.tif 000006
【図５】
2005221143.tif 000007
【図６】
2005221143.tif 000008